(57)【要約】  本願の実施例は、ランダムアクセス方法、装置及びコンピュータ記憶媒体を開示する。該方法は、第１識別情報に基づいて、ランダムアクセス応答（ＲＡＲ）メッセージを受信することであって、前記ＲＡＲメッセージで第２識別情報が搬送されている、ことと、所定のウィンドウ内で、前記第２識別情報又は前記第２識別情報と関連関係を有する第３識別情報に基づいて、物理下り制御チャネル（ＰＤＣＣＨ）を検出することであって、前記ＰＤＣＣＨは、前記第２識別情報又は前記第３識別情報によりスクランブルされる、ことと、を含む。
2021533627.tif 000002
【特許請求の範囲】
【請求項１】
ランダムアクセス方法であって、前記方法は、ユーザ装置（ＵＥ）に適用され、前記方法は、
第１識別情報に基づいて、ランダムアクセス応答（ＲＡＲ）メッセージを受信することであって、前記ＲＡＲメッセージで第２識別情報が搬送されている、ことと、
所定のウィンドウ内で、前記第２識別情報又は前記第２識別情報と関連関係を有する第３識別情報に基づいて、物理下り制御チャネル（ＰＤＣＣＨ）を検出することであって、前記ＰＤＣＣＨは、前記第２識別情報又は前記第３識別情報によりスクランブルされる、ことと、を含む、ランダムアクセス方法。
【請求項２】
前記方法は、
設定されたＰＲＡＣＨリソースでプリアンブル（ｐｒｅａｍｂｌｅ）を送信し、設定された上りリソースでＵＥ識別子を送信することを更に含むことを特徴とする
請求項１に記載の方法。
【請求項３】
前記ＵＥ識別子は、
５Ｇ一時的モバイル加入者識別番号（５Ｇ−Ｓ−ＴＭＳＩ）、
５Ｇ−Ｓ−ＴＭＳＩの一部、
セル無線ネットワーク一時識別子（Ｃ−ＲＮＴＩ）、
Ｃ−ＲＮＴＩ、物理セル識別子（ＰＣＩ）とショートメディアアクセス制御識別子（ｓｈｏｒｔ  ＭＡＣ  Ｉ）、
及び再開識別子（Ｒｅｓｕｍｅ  ＩＤ）のうちのいずれか１つを含むことを特徴とする
請求項２に記載の方法。
【請求項４】
前記設定された上りリソースは、物理上りリンク制御チャネル（ＰＵＣＣＨ）リソース及び／又は物理上り共有チャネル（ＰＵＳＣＨ）リソースを含むことを特徴とする
請求項２に記載の方法。
【請求項５】
前記設定された上りリソースと前記ＰＲＡＣＨリソースはマッピング関係があることを特徴とする
請求項２に記載の方法。
【請求項６】
前記第１識別情報は、ランダムアクセス無線ネットワーク一時的識別子（ＲＡ−ＲＮＴＩ）を含むことを特徴とする
請求項１に記載の方法。
【請求項７】
前記ＵＥ識別子がＣ−ＲＮＴＩである場合、第１識別情報に基づいて、ランダムアクセス応答（ＲＡＲ）メッセージを受信することは、
前記Ｃ−ＲＮＴＩに基づいて、前記ＲＡＲメッセージを受信することを含むことを特徴とする
請求項２に記載の方法。
【請求項８】
前記方法は、
前記ＲＡＲメッセージを受信した後、前記第２識別情報又は前記第３識別情報によりスクランブルされたＰＤＣＣＨの検出を停止することを更に含むことを特徴とする
請求項７に記載の方法。
【請求項９】
前記第２識別情報は、
５Ｇ−Ｓ−ＴＭＳＩ、
５Ｇ−Ｓ−ＴＭＳＩの一部、
Ｃ−ＲＮＴＩ、
Ｃ−ＲＮＴＩ、ＰＣＩとｓｈｏｒｔ  ＭＡＣ  Ｉ、
及び再開識別子（Ｒｅｓｕｍｅ  ＩＤ）のうちのいずれか１つを含むことを特徴とする
請求項１に記載の方法。
【請求項１０】
第２識別情報に含まれるコンテンツは、前記ＵＥ識別子に含まれるコンテンツと一致しない可能性があることを特徴とする
請求項９に記載の方法。
【請求項１１】
前記所定のウィンドウは、ＲＡＲメッセージをモニタリングするＲＡＲウィンドウ、又はネットワーク装置により設定された時間ウィンドウを含むことを特徴とする
請求項１に記載の方法。
【請求項１２】
前記第２識別情報に基づいてＰＤＣＣＨを検出することは、
前記上りリソースにより伝送されたＵＥ識別子がＣ−ＲＮＴＩであり、且つ前記ＲＡＲメッセージで運ばれている第２識別情報がＣ−ＲＮＴＩである場合、Ｃ−ＲＮＴＩ又はＣ−ＲＮＴＩに関連付けられている他の識別子により、ＰＤＣＣＨをモニタリングすることと、
ＰＤＣＣＨの検出に成功した場合、衝突が解消されたと判定することと、を含むことを特徴とする
請求項１から１１のうちいずれか一項に記載の方法。
【請求項１３】
前記第２識別情報に基づいてＰＤＣＣＨを検出することは、
前記上りリソースにより伝送されたＵＥ識別子がＣ−ＲＮＴＩ以外の他の識別子であり、且つ前記ＲＡＲメッセージで運ばれている第２識別情報がＣ−ＲＮＴＩである場合、Ｃ−ＲＮＴＩ又はＣ−ＲＮＴＩに関連付けられている他の識別子によりＰＤＣＣＨをモニタリングすることと、
ＰＤＣＣＨの検出に成功し、且つ検出されたＰＤＣＣＨでスケジューリングされたＰＤＳＣＨにより伝送されたＣＣＣＨ  ＳＤＵにおける識別子が前記上りリソースにより伝送されたＵＥ識別子と一致する場合、衝突が解消されたと判定することと、を含むことを特徴とする
請求項１から１１のうちいずれか一項に記載の方法。
【請求項１４】
前記第２識別情報と関連関係を有する第３識別情報に基づいて、ＰＤＣＣＨを検出することは、
前記上りリソースにより伝送されたＵＥ識別子がＣ−ＲＮＴＩ以外の他の識別子であり、且つ前記ＲＡＲメッセージで運ばれている第２識別情報が前記他の識別子とマッチングする場合、衝突が解消されたと判定することと、前記第２識別情報とマッピング関係があるＣ−ＲＮＴＩを利用して、ＰＤＣＣＨをモニタリングすることと、を含むことを特徴とする
請求項１から１１のうちいずれか一項に記載の方法。
【請求項１５】
ランダムアクセス方法であって、前記方法は、ネットワーク装置に適用され、前記方法は、
ランダムアクセス応答（ＲＡＲ）メッセージを第１識別情報によりスクランブルした後、ＵＥに送信することであって、前記ＲＡＲメッセージで第２識別情報が搬送されている、ことと、
第２識別情報又は前記第２識別情報と関連関係を有する第３識別情報に基づいて、送信待ちＰＤＣＣＨをスクランブルすることと、
スクランブルされたＰＤＣＣＨを前記ＵＥに送信することと、を含む、ランダムアクセス方法。
【請求項１６】
前記方法は、
前記ＵＥから送信されたプリアンブル（ｐｒｅａｍｂｌｅ）を受信し、設定された上りリソースでＵＥ識別子を受信することを更に含むことを特徴とする
請求項１５に記載の方法。
【請求項１７】
前記ＵＥ識別子は、
５Ｇ一時的モバイル加入者識別番号（５Ｇ−Ｓ−ＴＭＳＩ）、
５Ｇ−Ｓ−ＴＭＳＩの一部、
Ｃ−ＲＮＴＩ、
Ｃ−ＲＮＴＩ、物理セル識別子（ＰＣＩ）とショートメディアアクセス制御識別子（ｓｈｏｒｔ  ＭＡＣ  Ｉ）、
及び再開識別子（Ｒｅｓｕｍｅ  ＩＤ）のうちのいずれか１つを含むことを特徴とする
請求項１６に記載の方法。
【請求項１８】
前記第１識別情報は、ランダムアクセス無線ネットワーク一時的識別子（ＲＡ−ＲＮＴＩ）を含むことを特徴とする
請求項１５に記載の方法。
【請求項１９】
前記第２識別情報は、
５Ｇ−Ｓ−ＴＭＳＩ、
５Ｇ−Ｓ−ＴＭＳＩの一部、
Ｃ−ＲＮＴＩ、
Ｃ−ＲＮＴＩ、ＰＣＩとｓｈｏｒｔ  ＭＡＣ  Ｉ、
及び再開識別子（Ｒｅｓｕｍｅ  ＩＤ）のうちのいずれか１つを含むことを特徴とする
請求項１５に記載の方法。
【請求項２０】
前記第２識別情報に含まれるコンテンツは、前記ＵＥ識別子に含まれるコンテンツと一致しない可能性があることを特徴とする
請求項１９に記載の方法。
【請求項２１】
第２識別情報又は前記第２識別情報と関連関係を有する第３識別情報に基づいて、送信待ちＰＤＣＣＨをスクランブルすることは、
前記上りリソースにより伝送されたＵＥ識別子がＣ−ＲＮＴＩであり、且つ前記ＲＡＲメッセージで運ばれている第２識別情報がＣ−ＲＮＴＩである場合、Ｃ−ＲＮＴＩ又はＣ−ＲＮＴＩに関連付けられている他の識別子により、送信待ちＰＤＣＣＨをスクランブルすることを含むことを特徴とする
請求項１５から２０のうちいずれか一項に記載の方法。
【請求項２２】
第２識別情報又は前記第２識別情報と関連関係を有する第３識別情報に基づいて、送信待ちＰＤＣＣＨをスクランブルすることは、
前記上りリソースにより伝送されたＵＥ識別子がＣ−ＲＮＴＩ以外の他の識別子であり、且つ前記ＲＡＲメッセージで運ばれている第２識別情報がＣ−ＲＮＴＩである場合、Ｃ−ＲＮＴＩ又はＣ−ＲＮＴＩに関連付けられている他の識別子により、送信待ちＰＤＣＣＨをスクランブルすることを含むことを特徴とする
請求項１５から２０のうちいずれか一項に記載の方法。
【請求項２３】
第２識別情報又は前記第２識別情報と関連関係を有する第３識別情報に基づいて、送信待ちＰＤＣＣＨをスクランブルすることは、
前記上りリソースにより伝送されたＵＥ識別子がＣ−ＲＮＴＩ以外の他の識別子であり、且つ前記ＲＡＲメッセージで運ばれている第２識別情報が他の識別子とマッチングする場合、前記第２識別情報とマッピング関係があるＣ−ＲＮＴＩにより、送信待ちＰＤＣＣＨをスクランブルすることを含むことを特徴とする
請求項１５から２０のうちいずれか一項に記載の方法。
【請求項２４】
ユーザ装置であって、前記ユーザ装置は、第１ネットワークインタフェースと、第１メモリと、第１プロセッサとを備え、前記第１ネットワークインタフェースは、他の外部ネットワークエレメントとの情報送受信過程において、信号を送受信するように構成され、前記第１メモリは、第１プロセッサで実行し得るコンピュータプログラムを記憶するように構成され、前記第１プロセッサは、前記コンピュータプログラムを実行する時、請求項１から１４のうちいずれか一項に記載の方法の工程を実行するように構成される、ユーザ装置。
【請求項２５】
ネットワーク装置であって、前記ネットワーク装置は、第２ネットワークインタフェースと、第２メモリと、第２プロセッサとを備え、前記第２ネットワークインタフェースは、他の外部ネットワークエレメントとの情報送受信過程において、信号を送受信するように構成され、前記第２メモリは、第２プロセッサで実行し得るコンピュータプログラムを記憶するように構成され、前記第２プロセッサは、前記コンピュータプログラムを実行する時、請求項１５から２３のうちいずれか一項に記載の方法の工程を実行するように構成される、ネットワーク装置。
【請求項２６】
コンピュータ記憶媒体であって、ランダムアクセスプログラムが記憶されており、前記ランダムアクセスプログラムが少なくとも１つのプロセッサにより実行される時、請求項１から１４のうちいずれか一項又は請求項１５から２３のうちいずれか一項に記載の方法の工程を実現させる、コンピュータ記憶媒体。
【請求項２７】
ユーザ装置であって、前記ユーザ装置は、第１受信部と、検出部と、を備え、
前記第１受信部は、第１識別情報に基づいて、ＲＡＲメッセージを受信するように構成され、前記ＲＡＲメッセージで第２識別情報が搬送されており、
前記検出部は、所定のウィンドウ内で、前記第２識別情報又は前記第２識別情報と関連関係を有する第３識別情報に基づいて、ＰＤＣＣＨを検出するように構成され、前記ＰＤＣＣＨは、前記第２識別情報又は前記第３識別情報によりスクランブルされる、ユーザ装置。
【請求項２８】
設定されたＰＲＡＣＨリソースでプリアンブルを送信し、設定された上りリソースでＵＥ識別子を送信するように構成される第１送信部を更に備えることを特徴とする
請求項２７に記載のユーザ装置。
【請求項２９】
前記ＵＥ識別子は、
５Ｇ−Ｓ−ＴＭＳＩ、
５Ｇ−Ｓ−ＴＭＳＩの一部、
Ｃ−ＲＮＴＩ、
Ｃ−ＲＮＴＩ、ＰＣＩとｓｈｏｒｔ  ＭＡＣ  Ｉ、
及びＲｅｓｕｍｅ  ＩＤのうちのいずれか１つを含むことを特徴とする
請求項２８に記載のユーザ装置。
【請求項３０】
前記設定された上りリソースは、ＰＵＣＣＨリソース及び／又はＰＵＳＣＨリソースを含むことを特徴とする
請求項２８に記載のユーザ装置。
【請求項３１】
前記設定された上りリソースと前記ＰＲＡＣＨリソースはマッピング関係があることを特徴とする
請求項２８に記載のユーザ装置。
【請求項３２】
前記第１識別情報は、ＲＡ−ＲＮＴＩを含むことを特徴とする
請求項２７に記載のユーザ装置。
【請求項３３】
前記ＵＥ識別子がＣ−ＲＮＴＩである場合、前記第１受信部は、前記Ｃ−ＲＮＴＩに基づいて、前記ＲＡＲメッセージを受信するように構成されることを特徴とする
請求項２８に記載のユーザ装置。
【請求項３４】
前記検出部は更に、前記第１受信部が前記ＲＡＲメッセージを受信した後、前記第２識別情報又は前記第３識別情報によりスクランブルされたＰＤＣＣＨの検出を停止するように構成されることを特徴とする
請求項３３に記載のユーザ装置。
【請求項３５】
前記第２識別情報は、
５Ｇ−Ｓ−ＴＭＳＩ、
５Ｇ−Ｓ−ＴＭＳＩの一部、
Ｃ−ＲＮＴＩ、
Ｃ−ＲＮＴＩ、ＰＣＩとｓｈｏｒｔ  ＭＡＣ  Ｉ、
及びＲｅｓｕｍｅ  ＩＤのうちのいずれか１つを含むことを特徴とする
請求項２７に記載のユーザ装置。
【請求項３６】
前記第２識別情報に含まれるコンテンツは、前記ＵＥ識別子に含まれるコンテンツと一致しない可能性があることを特徴とする
請求項３５に記載のユーザ装置。
【請求項３７】
前記所定のウィンドウは、ＲＡＲメッセージをモニタリングするＲＡＲウィンドウ、又はネットワーク装置により設定された時間ウィンドウを含むことを特徴とする
請求項２７に記載のユーザ装置。
【請求項３８】
前記検出部は、前記上りリソースにより伝送されたＵＥ識別子がＣ−ＲＮＴＩであり、且つ前記ＲＡＲメッセージで運ばれている第２識別情報がＣ−ＲＮＴＩである場合、Ｃ−ＲＮＴＩ又はＣ−ＲＮＴＩに関連付けられている他の識別子により、ＰＤＣＣＨをモニタリングし、ＰＤＣＣＨの検出に成功した場合、衝突が解消されたと判定するように構成されることを特徴とする
請求項２７から３７のうちいずれか一項に記載のユーザ装置。
【請求項３９】
前記検出部は、前記上りリソースにより伝送されたＵＥ識別子がＣ−ＲＮＴＩ以外の他の識別子であり、且つ前記ＲＡＲメッセージで運ばれている第２識別情報がＣ−ＲＮＴＩである場合、Ｃ−ＲＮＴＩ又はＣ−ＲＮＴＩに関連付けられている他の識別子によりＰＤＣＣＨをモニタリングし、ＰＤＣＣＨの検出に成功し、且つ検出されたＰＤＣＣＨでスケジューリングされたＰＤＳＣＨにより伝送されたＣＣＣＨ  ＳＤＵにおける識別子が前記上りリソースにより伝送されたＵＥ識別子と一致する場合、衝突が解消されたと判定するように構成されることを特徴とする
請求項２７から３７のうちいずれか一項に記載のユーザ装置。
【請求項４０】
前記検出部は、前記上りリソースにより伝送されたＵＥ識別子がＣ−ＲＮＴＩ以外の他の識別子であり、且つ前記ＲＡＲメッセージで運ばれている第２識別情報が前記他の識別子とマッチングする場合、衝突が解消されたと判定し、前記第２識別情報とマッピング関係があるＣ−ＲＮＴＩを利用して、ＰＤＣＣＨをモニタリングするように構成されることを特徴とする
請求項２７から３７のうちいずれか一項に記載のユーザ装置。
【請求項４１】
ネットワーク装置であって、前記ネットワーク装置は、スクランブル部と、第２送信部と、を備え、
前記スクランブル部は、ＲＡＲメッセージを第１識別情報によりスクランブルするように構成され、
前記第２送信部は、スクランブルされたＲＡＲメッセージをＵＥに送信するように構成され、前記ＲＡＲメッセージで第２識別情報が搬送されており、
前記スクランブル部は更に、第２識別情報又は前記第２識別情報と関連関係を有する第３識別情報に基づいて、送信待ちＰＤＣＣＨをスクランブルするように構成され、
前記第２送信部は更に、スクランブルされたＰＤＣＣＨを前記ＵＥに送信するように構成される、ネットワーク装置。
【請求項４２】
前記ネットワーク装置は、前記ＵＥから送信されたプリアンブルを受信し、設定された上りリソースでＵＥ識別子を受信するように構成される第２受信部を更に備えることを特徴とする
請求項４１に記載のネットワーク装置。
【請求項４３】
前記ＵＥ識別子は、
５Ｇ−Ｓ−ＴＭＳＩ、
５Ｇ−Ｓ−ＴＭＳＩの一部、
Ｃ−ＲＮＴＩ、
Ｃ−ＲＮＴＩ、ＰＣＩとｓｈｏｒｔ  ＭＡＣ  Ｉ、
及びＲｅｓｕｍｅ  ＩＤのうちのいずれか１つを含むことを特徴とする
請求項４２に記載のネットワーク装置。
【請求項４４】
前記第１識別情報は、ＲＡ−ＲＮＴＩを含むことを特徴とする
請求項４１に記載のネットワーク装置。
【請求項４５】
前記第２識別情報は、
５Ｇ−Ｓ−ＴＭＳＩ、
５Ｇ−Ｓ−ＴＭＳＩの一部、
Ｃ−ＲＮＴＩ、
Ｃ−ＲＮＴＩ、ＰＣＩとｓｈｏｒｔ  ＭＡＣ  Ｉ、
及びＲｅｓｕｍｅ  ＩＤのうちのいずれか１つを含むことを特徴とする
請求項４１に記載のネットワーク装置。
【請求項４６】
前記第２識別情報に含まれるコンテンツは、前記ＵＥ識別子に含まれるコンテンツと一致しない可能性があることを特徴とする
請求項４５に記載のネットワーク装置。
【請求項４７】
前記スクランブル部は、前記上りリソースにより伝送されたＵＥ識別子がＣ−ＲＮＴＩであり、且つ前記ＲＡＲメッセージで運ばれている第２識別情報がＣ−ＲＮＴＩである場合、Ｃ−ＲＮＴＩ又はＣ−ＲＮＴＩに関連付けられている他の識別子により、送信待ちＰＤＣＣＨをスクランブルするように構成されることを特徴とする
請求項４１から４６のうちいずれか一項に記載のネットワーク装置。
【請求項４８】
前記スクランブル部は、前記上りリソースにより伝送されたＵＥ識別子がＣ−ＲＮＴＩ以外の他の識別子であり、且つ前記ＲＡＲメッセージで運ばれている第２識別情報がＣ−ＲＮＴＩである場合、Ｃ−ＲＮＴＩ又はＣ−ＲＮＴＩに関連付けられている他の識別子により、送信待ちＰＤＣＣＨをスクランブルするように構成されることを特徴とする
請求項４１から４６のうちいずれか一項に記載のネットワーク装置。
【請求項４９】
前記スクランブル部は、前記上りリソースにより伝送されたＵＥ識別子がＣ−ＲＮＴＩ以外の他の識別子であり、且つ前記ＲＡＲメッセージで運ばれている第２識別情報が他の識別子とマッチングする場合、前記第２識別情報とマッピング関係があるＣ−ＲＮＴＩにより、送信待ちＰＤＣＣＨをスクランブルするように構成されることを特徴とする
請求項４１から４６のうちいずれか一項に記載のネットワーク装置。
【発明の詳細な説明】
【技術分野】
【０００１】
本願は、無線通信技術分野に関し、特に、ランダムアクセス方法、装置及びコンピュータ記憶媒体に関する。
【背景技術】
【０００２】
現在、無線通信システムは、利用可能なシステムリソース（例えば、時間、周波数及び電力）を共有することで、複数のユーザと通信する多元接続システムをサポートすることができる。例として、無線多元接続通信システムは、複数の基地局を含んでもよい。各基地局は、複数の通信装置の通信を同時にサポートする。これらの通信装置は、ユーザ装置（Ｕｓｅｒ  Ｅｑｕｉｐｍｅｎｔ：ＵＥ）と呼ばれてもよい。基地局は、下りリンクチャネル（例えば、基地局からＵＥへの伝送に用いられる）及び上りリンクチャネル（例えば、ＵＥから基地局への伝送に用いられる）で、通信装置と通信できる。
【０００３】
例えば、長期的進化（Ｌｏｎｇ  Ｔｅｒｍ  Ｅｖｏｌｕｔｉｏｎ：ＬＴＥ）システム、第５世代（５ｔｈ  Ｇｅｎｅｒａｔｉｏｎ：５Ｇ）システム又は新しい無線（Ｎｅｗ  Ｒａｄｉｏ：ＮＲ）システムのような幾つかの無線通信システムにおいて、無線装置は、ランダムアクセスプロセスにより、システムへのアクセスを実現させることができる。現在、既存のランダムアクセスプロセスは、競合ベースのランダムアクセスプロセス及び非競合ベースのランダムアクセスプロセスを含む。競合ベースのランダムアクセスプロセスを実現させるために、現在、４メッセージランダムアクセスプロシージャが用いられている。既存の４メッセージランダムアクセスプロシージャの望ましい遅延は、一般的には、４０ミリ秒（ｍｓ）に達する。これにより、現在の４メッセージランダムアクセスプロシージャは、５Ｇシステム又はＮＧシステムにおける低遅延のサービス需要に適応できなくなる。
【発明の概要】
【発明が解決しようとする課題】
【０００４】
本願の実施例は、ランダムアクセスプロセスの遅延を低下させ、ランダムアクセスプロセスの時間的効率を向上させることができる、ランダムアクセス方法、装置及びコンピュータ記憶媒体を提供する。
【課題を解決するための手段】
【０００５】
本願の実施例の技術的解決手段は、以下のように実現する。
【０００６】
第１態様によれば、ランダムアクセス方法を提供する。前記方法は、ＵＥに適用され、前記方法は、第１識別情報に基づいて、ランダムアクセス応答（Ｒａｎｄｏｍ  Ａｃｃｅｓｓ  Ｒｅｓｐｏｎｓｅ：ＲＡＲ）メッセージを受信することであって、前記ＲＡＲメッセージで第２識別情報が搬送されている、ことと、所定のウィンドウ内で、前記第２識別情報又は前記第２識別情報と関連関係を有する第３識別情報に基づいて、物理下り制御チャネル（Ｐｈｙｓｉｃａｌ  Ｄｏｗｎｌｉｎｋ  Ｃｏｎｔｒｏｌ  ＣＨａｎｎｅｌ：ＰＤＣＣＨ）を検出することであって、前記ＰＤＣＣＨは、前記第２識別情報又は前記第３識別情報によりスクランブルされる、ことと、を含む。
【０００７】
第２態様によれば、ランダムアクセス方法を提供する。前記方法は、ネットワーク装置に適用され、前記方法は、ＲＡＲメッセージを第１識別情報によりスクランブルした後、ＵＥに送信することであって、前記ＲＡＲメッセージで第２識別情報が搬送されている、ことと、第２識別情報又は前記第２識別情報と関連関係を有する第３識別情報に基づいて、送信待ちＰＤＣＣＨをスクランブルすることと、スクランブルされたＰＤＣＣＨを前記ＵＥに送信することと、を含む。
【０００８】
第３態様によれば、ＵＥを提供する。前記ＵＥは、第１受信部と、検出部と、を備え、
前記第１受信部は、第１識別情報に基づいて、ＲＡＲメッセージを受信するように構成され、前記ＲＡＲメッセージで第２識別情報が搬送されており、
前記検出部は、所定のウィンドウ内で、前記第２識別情報又は前記第２識別情報と関連関係を有する第３識別情報に基づいて、ＰＤＣＣＨを検出するように構成され、前記ＰＤＣＣＨは、前記第２識別情報又は前記第３識別情報によりスクランブルされる。
【０００９】
第４態様によれば、ネットワーク装置を提供する。前記ネットワーク装置は、スクランブル部と、第２送信部と、を備え、
前記スクランブル部は、ＲＡＲメッセージを第１識別情報によりスクランブルするように構成され、
前記第２送信部は、スクランブルされたＲＡＲメッセージをＵＥに送信するように構成され、前記ＲＡＲメッセージで第２識別情報が搬送されており、
前記スクランブル部は更に、第２識別情報又は前記第２識別情報と関連関係を有する第３識別情報に基づいて、送信待ちＰＤＣＣＨをスクランブルするように構成され、
前記第２送信部は更に、スクランブルされたＰＤＣＣＨを前記ＵＥに送信するように構成される。
【００１０】
第５態様によれば、ユーザ装置を提供する。前記ユーザ装置は、第１ネットワークインタフェースと、第１メモリと、第１プロセッサとを備え、前記第１ネットワークインタフェースは、他の外部ネットワークエレメントとの情報送受信過程において、信号を送受信するように構成され、前記第１メモリは、第１プロセッサで実行し得るコンピュータプログラムを記憶するように構成され、前記第１プロセッサは、前記コンピュータプログラムを実行する時、第１態様に記載の方法の工程を実行するように構成される。
【００１１】
第６態様によれば、ネットワーク装置を提供する。前記ネットワーク装置は、第２ネットワークインタフェースと、第２メモリと、第２プロセッサとを備え、前記第２ネットワークインタフェースは、他の外部ネットワークエレメントとの情報送受信過程において、信号を送受信するように構成され、前記第２メモリは、第２プロセッサで実行し得るコンピュータプログラムを記憶するように構成され、前記第２プロセッサは、前記コンピュータプログラムを実行する時、第２態様に記載の方法の工程を実行するように構成される。
【００１２】
第７態様によれば、コンピュータ記憶媒体を提供する。前記コンピュータ記憶媒体に、ランダムアクセスプログラムが記憶されており、前記ランダムアクセスプログラムが少なくとも１つのプロセッサにより実行される時、第１態様又は第２態様に記載のランダムアクセス方法の工程を実現させる。
【発明の効果】
【００１３】
上記技術的解決手段によれば、ＵＥは、ｐｒｅａｍｂｌｅを送信した後、ＲＡＲにおける第２識別情報に基づいて、ＰＤＣＣＨを検出する。これにより、競合衝突が解消されたかどうかを判定する。４メッセージプロシージャランダムアクセスプロセスのように、ネットワーク装置に無線リソース制御（Ｒａｄｉｏ  Ｒｅｓｏｕｒｃｅ  Ｃｏｎｔｒｏｌ：ＲＲＣ）メッセージを送信し、ネットワーク装置によりＲＲＣシグナリングに対してフィードバックされた衝突解消（Ｃｏｎｔｅｎｔｉｏｎ  Ｒｅｓｏｌｕｔｉｏｎ）メッセージを受信することで衝突解消を判定する必要がない。従って、２メッセージプロシージャにより、競合ベースのランダムアクセスプロセスを完了し、ランダムアクセスプロセスの遅延を低下させ、ランダムアクセスプロセスの時間的効率を向上させることができる。
【図面の簡単な説明】
【００１４】
【図１】本願の実施例による無線通信システムの例を示す図である。
【図２】関連技術における４メッセージプロシージャのランダムアクセスを示すフローチャートである。
【図３】本願の実施例によるランダムアクセス方法を示すフローチャートである。
【図４】本願の実施例によるもう１つのランダムアクセス方法を示すフローチャートである。
【図５】本願の実施例によるランダムアクセスの具体的なプロセスを示す概略図である。
【図６】本願の実施例によるＵＥの構造を示す概略図である。
【図７】本願の実施例によるもう１つのＵＥの構造を示す概略図である。
【図８】本願の実施例によるＵＥの具体的なハードウェア構造を示す概略図である。
【図９】本願の実施例によるネットワーク装置の構造を示す概略図である。
【図１０】本願の実施例によるもう１つのネットワーク装置の構造を示す概略図である。
【図１１】本願の実施例によるもう１つのネットワーク装置の具体的なハードウェア構造を示す概略図である。
【発明を実施するための形態】
【００１５】
以下、本願の実施例における図面を参照しながら、本願の実施例における技術的解決手段を説明する。勿論、記述される実施例は、全ての実施例ではなく、ただ本願の一部の実施例である。本願における実施例に基づいて、当業者が創造的な労力なしに得られる他の実施例の全ては、本願の保護範囲に含まれる。
【００１６】
図１を参照すると、本願の実施例による無線通信に適用されてランダムアクセスプロセスの遅延を低下させることができる無線通信システム１００の例を示す。該通信システム１００は、ネットワーク装置１１０を備えてもよい。ネットワーク装置１１０は、端末装置１２０（通信端末、端末とも呼ばれる）と通信を行う装置であってもよい。ネットワーク装置１１０は、特定の地理的エリアに対して通信カバレッジを提供し、且つ該カバレッジ内に位置する端末と通信を行うことができる。任意選択的に、該ネットワーク装置１１０は、ＧＳＭシステム又はＣＤＭＡシステムにおける基地局（Ｂａｓｅ  Ｔｒａｎｓｃｅｉｖｅｒ  Ｓｔａｔｉｏｎ：ＢＴＳ）であってもよいし、ＷＣＤＭＡシステムにおける基地局（ＮｏｄｅＢ：ＮＢ）であってもよく、また、ＬＴＥシステムにおける進化型基地局（Ｅｖｏｌｕｔｉｏｎａｌ  ＮｏｄｅＢ：ｅＮＢ又はｅＮｏｄｅＢ）であってもよく、更にクラウド無線アクセスネットワーク（Ｃｌｏｕｄ  Ｒａｄｉｏ  Ａｃｃｅｓｓ  Ｎｅｔｗｏｒｋ：ＣＲＡＮ）における無線コントローラであってもよい。又は、該ネットワーク装置は、モバイルスイッチングセンタ、中継局、アクセスポイント、車載装置、ウェアラブル装置、ハブ、スイッチ、ブリッジ、ルータ、５Ｇネットワークにおけるネットワーク側装置又は５Ｇ基地局（ｇＮＢ）、将来の進化型公衆地上移動体ネットワーク（Ｐｕｂｌｉｃ  Ｌａｎｄ  Ｍｏｂｉｌｅ  Ｎｅｔｗｏｒｋ：ＰＬＭＮ）におけるネットワーク装置等であってもよい。
【００１７】
該通信システム１００は、ネットワーク装置１１０のカバレッジ範囲内に位置する少なくとも１つの端末装置１２０を更に備える。ここで使用される「端末装置」は、公衆交換電話網（Ｐｕｂｌｉｃ  Ｓｗｉｔｃｈｅｄ  Ｔｅｌｅｐｈｏｎｅ  Ｎｅｔｗｏｒｋｓ：ＰＳＴＮ）、デジタル加入者回線（Ｄｉｇｉｔａｌ  Ｓｕｂｓｃｒｉｂｅｒ  Ｌｉｎｅ：ＤＳＬ）、デジタルケーブル、直接ケーブルのような有線回線を経由して接続される装置、及び／又は別のデータ接続／ネットワークを経由して接続される装置、及び／又はセルラーネットワーク、無線ローカルエリアネットワーク（Ｗｉｒｅｌｅｓｓ  Ｌｏｃａｌ  Ａｒｅａ  Ｎｅｔｗｏｒｋ：ＷＬＡＮ）、ＤＶＢ−Ｈ  ネットワークのようなデジタルテレビジョンネットワーク、衛星ネットワーク、ＡＭ−ＦＭ放送送信機のような無線インタフェースを経由して接続される装置、及び／又は別の端末における、通信信号を受信／送信するように構成される装置、及び／又はモノのインターネット（Ｉｎｔｅｒｎｅｔ  ｏｆ  Ｔｈｉｎｇｓ：ＩｏＴ）装置を含むが、これらに限定されない。無線通信インタフェースを経由して通信を行うように構成される端末装置は、「無線通信端末」、「無線端末」、又は「携帯端末」と呼ばれてもよい。携帯端末の例は、衛星電話またはセルラー電話、セルラー無線電話とデータ処理、ファクシミリ及びデータ通信能力とを組み合わせることができるパーソナル通信システム（Ｐｅｒｓｏｎａｌ  Ｃｏｍｍｕｎｉｃａｔｉｏｎｓ  Ｓｙｓｔｅｍ：ＰＣＳ）端末、無線電話、ページング装置、インターネット／イントラネットアクセス、Ｗｅｂブラウザ、メモ帳、カレンダ及び／又は全地球測位システム（Ｇｌｏｂａｌ  Ｐｏｓｉｔｉｏｎｉｎｇ  Ｓｙｓｔｅｍ：ＧＰＳ）受信機を含むＰＤＡ、及び従来のラップトップ及び／又はパームトップ受信機又は無線電話送受信機を含む他の電子機器を含むが、これらに限定されない。端末装置は、アクセス端末、ユーザ装置（Ｕｓｅｒ  Ｅｑｕｉｐｍｅｎｔ：ＵＥ）、ユーザユニット、ユーザ局、移動ステーション、移動局、遠隔局、遠隔端末、移動装置、ユーザ端末、端末、無線通信装置、ユーザ用エージェント又はユーザ装置であってもよい。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ
：ＳＩＰ）電話、ワイヤレスローカルループ（Ｗｉｒｅｌｅｓｓ  Ｌｏｃａｌ  Ｌｏｏｐ：ＷＬＬ）局、パーソナルデジタルアシスタント（Ｐｅｒｓｏｎａｌ  Ｄｉｇｉｔａｌ  Ａｓｓｉｓｔａｎｔ：ＰＤＡ）、無線通信機能を有するハンドヘルド装置、計算装置又は無線モデムに接続される他の処理装置、車載装置、ウェアラブル装置、５Ｇシステムにおける端末又は将来の進化型ＰＬＭＮにおける端末等であってもよい。
【００１８】
任意選択的に、端末装置１２０同士は、端末間（Ｄｅｖｉｃｅ  ｔｏ  Ｄｅｖｉｃｅ：Ｄ２Ｄ）での通信を行うことができる。
【００１９】
任意選択的に、５Ｇシステム又は５Ｇネットワークは、新しい無線（Ｎｅｗ  Ｒａｄｉｏ：ＮＲ）システム又はＮＲネットワークと呼ばれてもよい。
【００２０】
図１は、１つのネットワーク装置及び２つの端末装置を例示的に示す。任意選択的に、該通信システム１００は、複数のネットワーク装置を備えてもよく、また各ネットワーク装置のカバレッジに、他の数の端末装置が含まれてもよく、本願の実施例はこれを限定するものではない。
【００２１】
図１に示す無線通信システム１００において、端末装置１２０は、ネットワーク装置９０へのアクセスを必要とし、ランダムアクセスプロセスをトリガすることがある。例えば、ランダムアクセスプロセスをトリガするイベントは、端末装置１２０が無線通信システム１００へ初期アクセスするというイベント、端末装置１２０と無線通信システム１００が同期していないというイベント、端末装置１２０が異なるネットワーク装置９０間で切り換えるというイベント、端末装置１２０とネットワーク装置９０との間でＲＲＣ接続（Ｃｏｎｎｅｃｔｉｏｎ）が再確立されるというイベント、端末装置１２０が非アクティブ状態ＲＲＣ＿ＩＮＡＣＴＩＶＥから移行するというイベント、又は端末装置１２０が他のシステム情報（Ｓｙｓｔｅｍ  Ｉｎｆｏｒｍａｔｉｏｎ：ＳＩ）により指示されるというイベントを含んでもよいが、これらに限定されない。
【００２２】
ランダムアクセスプロセスがトリガされる場合、現在の関連規格又はプロトコルにおいて一般的には４メッセージプロシージャにより、競合ベースのランダムアクセスを実現させる。無線通信システム１００が５Ｇシステムであることを例として、ネットワーク装置９０は、ｇＮＢであってもよく、端末装置１２０は、ＵＥであってもよく、その具体的なプロセスは、図２に示すとおりである。
【００２３】
Ｓ２１０において、ＵＥは、選択された物理ランダムアクセスチャネル（Ｐｈｙｓｉｃａｌ  Ｒａｎｄｏｍ  Ａｃｃｅｓｓ  ＣＨａｎｎｅｌ：ＰＲＡＣＨ）リソースにおいて、選択されたランダムアクセスプリアンブル（Ｒａｎｄｏｍ  Ａｃｃｅｓｓ  Ｐｒｅａｍｂｌｅ）を送信する。
【００２４】
該ステップにおいて、ＵＥは、ランダムアクセスプリアンブルを第１メッセージＭｓｇ１により送信し、ｇＮＢは、Ｍｓｇ１を受信した後、Ｐｒｅａｍｂｌｅに基づいて、上りタイミング（Ｔｉｍｉｎｇ）及び端末による第３メッセージ（Ｍｓｇ３）の伝送に必要な許可（ｇｒａｎｔ）サイズを推定することができることが理解されるべきである。
【００２５】
Ｓ２２０において、ｇＮＢは、ＵＥにＲＡＲを送信する。
【００２６】
ｇＮＢは、第２メッセージ（Ｍｓｇ２）によりＲＡＲを送信し、ＵＥがＭｓｇ１の送信を完了した後、ＲＡＲウィンドウ（ＲＡＲ  Ｗｉｎｄｏｗ）を起動し、該ＲＡＲ  Ｗｉｎｄｏｗ内で、ＰＤＣＣＨをモニタリングし、ＰＤＣＣＨを検出した後、該ＰＤＣＣＨによりスケジューリングされた物理下り共有チャネル（Ｐｈｙｓｉｃａｌ  Ｄｏｗｎｌｉｎｋ  Ｓｈａｒｅｄ  Ｃｈａｎｎｅｌ：ＰＤＳＣＨ）を得て、該チャネルにＲＡＲが含まれることに留意されたい。ＵＥが該ＲＡＲ  Ｗｉｎｄｏｗ内でＲＡＲを取得していない場合、今回のランダムアクセスプロセスが失敗した。
【００２７】
Ｓ２３０において、ＵＥはＲＲＣメッセージを送信する。
【００２８】
該ＲＲＣメッセージを第３メッセージ（Ｍｓｇ３）により送信することができるが、Ｍｓｇ３は主に、該ＲＡＣＨプロセスがどのようなイベントによりトリガされるかをネットワークに通知するためのものであることに留意されたい。例えば、初期ランダムアクセスプロセスであれば、ｍｓｇ３により、ＵＥ  ＩＤ及び確立理由ｅｓｔａｂｌｉｓｈｍｅｎｔ  ｃａｕｓｅが運ばれる。ＲＲＣ再確立であれば、接続状態ＵＥ識別子及びｅｓｔａｂｌｉｓｈｍｅｎｔ  ｃａｕｓｅが運ばれる。
【００２９】
それと同時に、ｍｓｇ３により運ばれるＩＤは、Ｓ２４０において競合衝突を解決することができる。
【００３０】
Ｓ２４０において、ｇＮＢが、ＵＥに衝突解消（Ｃｏｎｔｅｎｔｉｏｎ  Ｒｅｓｏｌｕｔｉｏｎ）メッセージをフィードバックする。
【００３１】
該ステップにおいて、Ｃｏｎｔｅｎｔｉｏｎ  Ｒｅｓｏｌｕｔｉｏｎを第４メッセージ（Ｍｓｇ４）により伝送することができ、Ｍｓｇ４は、競合衝突を解決する役割及びＵＥにＲＲＣ設定メッセージを伝送する役割という２つの役割を有する。競合衝突解消について、下記２つの方式を用いることができる。
【００３２】
方式１において、Ｓ２３０で、ＵＥがセル無線ネットワーク一時識別子（Ｃｅｌｌ  Ｒａｄｉｏ  Ｎｅｔｗｏｒｋ  Ｔｅｍｐｏｒａｒｙ  Ｉｄｅｎｔｉｆｉｅｒ：Ｃ−ＲＮＴＩ）を運んでいると、Ｃ−ＲＮＴＩでスクランブルされたＰＤＣＣＨにより、Ｍｓｇ４をスケジューリングすることができる。
【００３３】
方式２において、Ｓ２３０で、ＵＥがＣ−ＲＮＴＩを運んでいなければ、例えば、初期アクセスの場合、一時的Ｃ−ＲＮＴＩ（ＴＣ−ＲＮＴＩ）でスクランブルされたＰＤＣＣＨにより、Ｍｓｇ４をスケジューリングする。ＵＥは、Ｍｓｇ４のＰＤＳＣＨを受信し、ＰＤＳＣＨにおける共通制御チャネルサービスデータユニット（Ｃｏｍｍｏｎ  Ｃｏｎｔｒｏｌ  Ｃｈａｎｎｅｌ  Ｓｅｒｖｉｃｅ  Ｄａｔａ  Ｕｎｉｔ：ＣＣＣＨ  ＳＤＵ）をマッチングすることで、衝突を解消する。
【００３４】
図２に示すランダムアクセスプロセスから分かるように、４メッセージプロシージャは、ランダムアクセスプロセスの遅延を増加させ、５Ｇシステムにおける低遅延サービスに悪影響を与えてしまう。従って、現在、２メッセージプロシージャにより、元の４メッセージプロシージャのランダムアクセスプロセスを実現させることが望まれている。２メッセージプロシージャにより競合ベースのランダムアクセスを実現させる場合、競合衝突を如何に解消するかという問題、及び２メッセージプロシージャで２つのメッセージのそれぞれにより伝送する必要があるコンテンツの問題を解消する必要がある。
【００３５】
上記２つの解決する必要がある問題に基づいて、図３を参照すると、本願の実施例によるランダムアクセス方法を示す。該方法は、例えば、図１に示す端末装置１２０のようなユーザ装置（ＵＥ）に適用可能であり、該方法は以下を含んでもよい。
【００３６】
Ｓ３０１において、第１識別情報に基づいて、ＲＡＲメッセージを受信し、前記ＲＡＲメッセージで第２識別情報が搬送されている。
【００３７】
Ｓ３０２において、所定のウィンドウ内で、前記第２識別情報又は前記第２識別情報と関連関係を有する第３識別情報に基づいて、ＰＤＣＣＨを検出し、前記ＰＤＣＣＨは、前記第２識別情報又は前記第３識別情報によりスクランブルされる。
【００３８】
図３に示す技術的解決手段によれば、ＵＥは、ＲＡＲで運ばれている第２識別情報又は第２識別情報と関連関係を有する第３識別情報に基づいて、ＰＤＣＣＨを検出し、ＰＤＣＣＨに対するデスクランブルに成功した後、ＰＤＣＣＨでスケジューリングされたＰＤＳＣＨを受信する。これにより、ＵＥがＲＡＲメッセージを受信する時、競合衝突が解消される。従って、２メッセージプロシージャにより、競合ベースのランダムアクセスプロセスを完了し、ランダムアクセスプロセスの遅延を低下させ、ランダムアクセスプロセスの時間的効率を向上させることができる。
【００３９】
図３に示す技術的解決手段について、Ｓ３０１の前に、ＵＥは、ｅＮＢ又はｇＮＢのようなネットワーク装置にプリアンブル（ｐｒｅａｍｂｌｅ）を送信する必要もある。従って、一実現形態において、該方法は、
設定されたＰＲＡＣＨリソースで、ｐｒｅａｍｂｌｅを送信し、設定された上りリソースで、ＵＥ識別子を送信することを更に含んでもよい。
【００４０】
ＵＥ識別子は、ＵＥの一意性を表すことができる。具体的には、ＵＥ識別子は、５Ｇ一時的モバイル加入者識別番号（５Ｇ  ＳＡＥ  Ｔｅｍｐｏｒａｒｙ  Ｍｏｂｉｌｅ  Ｓｕｂｓｃｒｉｂｅｒ  Ｉｄｅｎｔｉｔｙ：５Ｇ−Ｓ−ＴＭＳＩ）を含んでもよく、５Ｇ−Ｓ−ＴＭＳＩの一部を含んでもよく、Ｃ−ＲＮＴＩを含んでもよく、Ｃ−ＲＮＴＩ、物理セル識別子（Ｐｈｙｓｉｃａｌ  Ｃｅｌｌ  Ｉｄｅｎｔｉｆｉｅｒ：ＰＣＩ）とショートメディアアクセス制御識別子（ｓｈｏｒｔ  Ｍｅｄｉａ  Ａｃｃｅｓｓ  Ｃｏｎｔｒｏｌ  Ｉｄｅｎｔｉｆｉｅｒ：ｓｈｏｒｔ  ＭＡＣ  Ｉ）を含んでもよく、及び再開識別子（Ｒｅｓｕｍｅ  ＩＤ）を含んでもよい。
【００４１】
上記ＵＥ識別子について、上記ＵＥ識別子がいずれもＵＥを一意的に区別できるため、上記各識別子間にマッピング関係がある。つまり、Ｃ−ＲＮＴＩを例として、同一のＵＥにとって、Ｃ−ＲＮＴＩ以外の他の識別子をいずれも該Ｃ−ＲＮＴＩにマッピングすることができる。これらの識別子にとって、５Ｇ−Ｓ−ＴＭＳＩによりＵＥを一意的に区別できるが、通常５Ｇ−Ｓ−ＴＭＳＩのサイズが長い。５Ｇ−Ｓ−ＴＭＳＩのサイズを減少させるために、任意選択的に、ＵＥはネットワーク装置と、５Ｇ−Ｓ−ＴＭＳＩの一部によりＵＥを一意的に区別することに合意しってもよい。なお、任意選択的に、ネットワーク装置は、ＵＥのために、ＵＥを一意的に区別するための５Ｇ−Ｓ−ＴＭＳＩの一部を予め設定することができる。Ｒｅｓｕｍｅ  ＩＤは、ネットワーク装置において、ＵＥコンテキストを検索しやすくするＵＥ識別子であってもよく、一般的には、ＵＥがＲＲＣ  ｉｎａｃｔｉｖｅ状態からＲＲＣ  ｃｏｎｎｅｃｔｔｅｄ状態に切り替わる場合に適用される。
【００４２】
上記実現形態において、前記設定された上りリソースは、物理上りリンク制御チャネル（Ｐｈｙｓｉｃａｌ  Ｕｐｌｉｎｋ  Ｃｏｎｔｒｏｌ  Ｃｈａｎｎｅｌ：ＰＵＣＣＨ）リソース及び／又は物理上り共有チャネル（Ｐｈｙｓｉｃａｌ  Ｕｐｌｉｎｋ  Ｓｈａｒｅｄ  Ｃｈａｎｎｅｌ：ＰＵＳＣＨ）リソースを含んでもよい。ＵＥ識別子は、制御情報の１つとして、ＰＵＣＣＨにより伝送されてもよく、ＰＵＳＣＨは、データを伝送できるだけでなく、制御情報も伝送できるため、ＵＥ識別子は、ＰＵＳＣＨによりネットワーク装置に伝送されてもよいことが理解されるべきである。
【００４３】
上記２つの設定された上りリソースについて、前記設定された上りリソースは前記ＰＲＡＣＨリソースと、マッピング関係がある。つまり、ＵＥは、あるＰＲＡＣＨリソースによりｐｒｅａｍｂｌｅを送信する場合、該マッピング関係に基づいて、該ＰＲＡＣＨリソースに対応する、ＵＥ識別子を伝送するための上りリソースを決定することができる。
【００４４】
図３に示す技術的解決手段において、第１識別情報は任意選択的に、ランダムアクセス無線ネットワーク一時的識別子（Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｆｉｅｒ，ＲＡ−ＲＮＴＩ）であってもよい。ＵＥは、例えば、時間領域リソース、周波数領域リソース及び符号領域リソースのような、ｐｒｅａｍｂｌｅを送信するＰＲＡＣＨリソースに基づいて、ＲＡ−ＲＮＴＩを決定することができる。
【００４５】
上記技術的解決手段について、可能な実現形態として、送信されるＵＥ識別子がＣ−ＲＮＴＩであると、対応的に、第１識別情報は、Ｃ−ＲＮＴＩを含んでもよい。この場合、第１識別情報に基づいてＲＡＲメッセージを受信することは、前記Ｃ−ＲＮＴＩに基づいて、前記ＲＡＲメッセージを受信することを含む。
【００４６】
前記ＲＡＲメッセージの受信に成功した後、ＵＥは、ランダムアクセスを完了することにに成功したことを表す。この場合、ＵＥは、第２識別情報又は第３識別情報によりスクランブルされたＰＤＣＣＨを引き続きモニタリングしないことがある。従って、前記方法は、前記ＲＡＲメッセージを受信した後、前記第２識別情報又は前記第３識別情報によりスクランブルされたＰＤＣＣＨの検出を停止することを更に含む。
【００４７】
図３に示す技術的解決手段について、第２識別情報又は第２識別情報と関連関係を有する第３識別情報により、ＰＤＣＣＨをスクランブルするため、競合衝突を解消するために、第２識別情報は、ＵＥを一意的に区別するための識別子であってもよい。これによれば、第２識別情報は、５Ｇ−Ｓ−ＴＭＳＩ、５Ｇ−Ｓ−ＴＭＳＩの一部、Ｃ−ＲＮＴＩ、Ｃ−ＲＮＴＩとＰＣＩとｓｈｏｒｔ  ＭＡＣ  Ｉ、及び再開識別子（Ｒｅｓｕｍｅ  ＩＤ）のうちのいずれか１つを含んでもよい。
【００４８】
第２識別情報の選択可能な範囲は、ＵＥ識別子の選択可能な範囲と一致することが明らかである。これらの情報はいずれもＵＥを一意的に区別できる。例えば、５Ｇ−Ｓ−ＴＭＳＩとＣ−ＲＮＴＩはいずれもＵＥを一意的に区別できる。従って、第２識別情報に含まれるコンテンツは、送信されたＵＥ識別子に含まれるコンテンツと一致しなくてもよい。
【００４９】
図３に示す技術的解決手段について、Ｓ３０２における所定のウィンドウは、ＵＥがｐｒｅａｍｂｌｅを送信した後、ＲＡＲをモニタリングするＲＡＲウィンドウであってもよく、ネットワーク装置により設定された時間ウィンドウであってもよい。本実施例は、ここで、詳細な説明を省略する。
【００５０】
Ｓ３０２に記載したように、前記第２識別情報に基づいてＰＤＣＣＨを検出する。ＵＥは、第２識別情報又は第２識別情報と関連関係を有する第３識別情報により、ＰＤＣＣＨをデスクランブルする。これにより、該ステップで、競合衝突解消を実現させることができる。従って、Ｓ３０２にとって、具体的には、下記任意選択的な例により実現することができる。
【００５１】
任意選択的な例１において、前記第２識別情報に基づいてＰＤＣＣＨを検出することは、
前記上りリソースにより伝送されたＵＥ識別子がＣ−ＲＮＴＩであり、且つ前記ＲＡＲメッセージで運ばれている第２識別情報がＣ−ＲＮＴＩである場合、Ｃ−ＲＮＴＩ又はＣ−ＲＮＴＩに関連付けられている他の識別子により、ＰＤＣＣＨをモニタリングすることと、ＰＤＣＣＨの検出に成功した場合、衝突が解消されたと判定することと、を含む。
【００５２】
該例において、詳しく言えば、一般的には、ネットワーク装置は、Ｃ−ＲＮＴＩ又はＣ−ＲＮＴＩに関連付けられている他の識別子により、ＰＤＣＣＨをスクランブルする。従って、ＵＥにより、設定した上りリソースで送信されたＵＥが、Ｃ−ＲＮＴＩであれば、ネットワーク装置は、直接的に該Ｃ−ＲＮＴＩを利用してＰＤＣＣＨをスクランブルする。これにより、ＵＥが、該Ｃ−ＲＮＴＩによりＰＤＣＣＨをデスクランブルすることに成功した場合、競合衝突が解消されたことを示す。
【００５３】
任意選択的な例２において、前記第２識別情報に基づいてＰＤＣＣＨを検出することは、
前記上りリソースにより伝送されたＵＥ識別子がＣ−ＲＮＴＩ以外の他の識別子であり、且つ前記ＲＡＲメッセージで運ばれている第２識別情報がＣ−ＲＮＴＩである場合、Ｃ−ＲＮＴＩ又はＣ−ＲＮＴＩに関連付けられている他の識別子によりＰＤＣＣＨをモニタリングすることと、ＰＤＣＣＨの検出に成功し、且つ検出されたＰＤＣＣＨでスケジューリングされたＰＤＳＣＨにより伝送されたＣＣＣＨ  ＳＤＵにおける識別子が前記上りリソースにより伝送されたＵＥ識別子と一致する場合、衝突が解消されたと判定することと、を含む。
【００５４】
該例において、例えば、ＵＥにより、設定された上りリソースで送信されたＵＥ識別子は、Ｃ−ＲＮＴＩではなく、５Ｇ−Ｓ−ＴＭＳＩ又は一部の５Ｇ−Ｓ−ＴＭＳＩであるが、ネットワーク装置は、Ｃ−ＲＮＴＩ又はＣ−ＲＮＴＩに関連付けられている他の識別子により、ＰＤＣＣＨをスクランブルする。従って、ＲＡＲメッセージで運ばれている第２識別情報は、Ｃ−ＲＮＴＩ又はＣ−ＲＮＴＩに関連付けられている他の識別子である。ＵＥ端末は、第２識別情報のＣ−ＲＮＴＩ又はＣ−ＲＮＴＩに関連付けられている他の識別子を利用して、ＰＤＣＣＨをモニタリングすることができる。ＰＤＣＣＨの検出に成功した場合、該ＰＤＣＣＨに基づいて、ＰＤＳＣＨをスケジューリングする。ＰＤＳＣＨにより伝送されたＣＣＣＨ  ＳＤＵにおける識別子が、設定した上りリソースで送信されたＵＥ識別子と一致すると確定すれば、ＵＥは、競合衝突が解消されたと判定する。
【００５５】
具体的には、上記「一致」は、２つ意味を有する。１つの意味において、該「一致」は、ＰＤＳＣＨにより伝送されたＣＣＣＨ  ＳＤＵにおける識別子が、設定した上りリソースで送信されたＵＥ識別子と完全に一致することを表す。もう１つの意味において、該「一致」は、ある特定程度の一致性と認められてもよく、即ち、「一致すると見なされる」である。つまり、ＰＤＳＣＨにより伝送されたＣＣＣＨ  ＳＤＵにおける、例えば４８個のｂｉｔのような、上位Ｎ個のビット（ｂｉｔ）は、上りリソースで伝送された上位Ｎ個のｂｉｔと同じであると、両者が「一致」すると認められる。
【００５６】
任意選択的な例３において、前記第２識別情報と関連関係を有する第３識別情報に基づいて、ＰＤＣＣＨを検出することは、
前記上りリソースにより伝送されたＵＥ識別子がＣ−ＲＮＴＩ以外の他の識別子であり、且つ前記ＲＡＲメッセージで運ばれている第２識別情報が前記他の識別子とマッチングする場合、衝突が解消されたと判定することと、前記第２識別情報とマッピング関係があるＣ−ＲＮＴＩを利用して、ＰＤＣＣＨをモニタリングすることと、を含む。
【００５７】
該例について、例えば、ＵＥにより、設定した上りリソースで送信されたＵＥ識別子がＣ−ＲＮＴＩではなく、例えば５Ｇ−Ｓ−ＴＭＳＩであるが、ＲＡＲメッセージで運ばれている第２識別情報は、５Ｇ−Ｓ−ＴＭＳＩとマッチングする、一部の５Ｇ−Ｓ−ＴＭＳＩのような他の識別子である。この場合、ＵＥは、衝突が解消されたと判定するができる。ＵＥは、例えば一部の５Ｇ−Ｓ−ＴＭＳＩとマッピング関係があるＣ−ＲＮＴＩを取得し、Ｃ−ＲＮＴＩを利用して、引き続きＰＤＣＣＨをモニタリングすることができる。該マッピング関係は、特殊のより密な関連関係と認められてもよく、該マッピング関係は、ネットワーク装置によりＵＥのために予め設定されてもよく、既存のプロトコルにより規定されたルールによって決まってもよいことに留意されたい。
【００５８】
図３に示す技術的解決手段において、ＵＥは、所定のウィンドウ内で、ＰＤＣＣＨを検出できなければ、競合衝突解消に失敗したことを表すことに留意されたい。従って、ＵＥとネットワーク装置は、ランダムアクセスプロセスを再実行することができる。
【００５９】
上記ランダムアクセス方法から分かるように、ＵＥは、ｐｒｅａｍｂｌｅを送信した後、ＲＡＲにおける第２識別情報に基づいて、ＰＤＣＣＨを検出する。これにより、競合衝突が解消されたかどうかを判定する。４メッセージプロシージャランダムアクセスプロセスのように、ネットワーク装置にＲＲＣメッセージを送信し、ネットワーク装置によりＲＲＣシグナリングに対してフィードバックされた衝突解消（Ｃｏｎｔｅｎｔｉｏｎ  Ｒｅｓｏｌｕｔｉｏｎ）メッセージを受信することで衝突解消を判定する必要がない。従って、２メッセージプロシージャにより、競合ベースのランダムアクセスプロセスを完了し、ランダムアクセスプロセスの遅延を低下させ、ランダムアクセスプロセスの時間的効率を向上させることができる。
【００６０】
上記技術的解決手段と同様な構想によれば、図４を参照すると、本願の実施例によるランダムアクセス方法を示す。該方法は、例えば、図１に示す基地局ｅＮＢ又はｇＮＢのような、ネットワーク装置に適用可能である。該方法は以下を含んでもよい。
【００６１】
Ｓ４０１において、ＲＡＲメッセージを第１識別情報によりスクランブルした後、ＵＥに送信し、前記ＲＡＲメッセージで第２識別情報が搬送されている。
【００６２】
Ｓ４０２において、第２識別情報又は第２識別情報と関連関係を有する第３識別情報に基づいて、送信待ちＰＤＣＣＨをスクランブルする。
【００６３】
Ｓ４０３において、スクランブルされたＰＤＣＣＨを前記ＵＥに送信する。
【００６４】
図４に示す技術的解決手段において、ネットワーク装置は、スクランブルされたＰＤＣＣＨをＵＥに送信し、ＵＥは、第２識別情報又は第３識別情報に基づいて、ＰＤＣＣＨに対してデスクランブルを行うことに成功した場合、競合アクセスの衝突が解消されたことを表す。従って、２メッセージプロシージャにより、競合ベースのランダムアクセスプロセスを完了し、ランダムアクセスプロセスの遅延を低下させ、ランダムアクセスプロセスの時間的効率を向上させることができる。
【００６５】
図４に示す技術的解決手段について、可能な実現形態において、Ｓ４０１の前に、前記方法は、
前記ＵＥから送信されたプリアンブル（ｐｒｅａｍｂｌｅ）を受信し、設定された上りリソースでＵＥ識別子を受信することを更に含む。
【００６６】
ＵＥ識別子は、ＵＥの一意性を表すことができる。具体的には、ＵＥ識別子は、５Ｇ−Ｓ−ＴＭＳＩ、５Ｇ−Ｓ−ＴＭＳＩの一部、Ｃ−ＲＮＴＩ、Ｃ−ＲＮＴＩとＰＣＩとｓｈｏｒｔ  ＭＡＣ  Ｉ、及び再開識別子（Ｒｅｓｕｍｅ  ＩＤ）のうちのいずれか１つを含んでもよい。
【００６７】
上記ＵＥ識別子について、上記ＵＥ識別子がいずれもＵＥを一意的に区別できるため、上記各識別子間にマッピング関係がある。つまり、Ｃ−ＲＮＴＩを例として、同一のＵＥにとって、Ｃ−ＲＮＴＩ以外の他の識別子をいずれも該Ｃ−ＲＮＴＩにマッピングすることができる。
【００６８】
上記実現形態において、前記設定された上りリソースは、ＰＵＣＣＨリソース及び／又はＰＵＳＣＨリソースを含んでもよい。また、前記設定された上りリソースは前記ＰＲＡＣＨリソースと、マッピング関係がある。つまり、ＵＥは、あるＰＲＡＣＨリソースによりｐｒｅａｍｂｌｅを送信する場合、該マッピング関係に基づいて、該ＰＲＡＣＨリソースに対応する、ＵＥ識別子を伝送するための上りリソースを決定することができる。
【００６９】
図４に示す技術的解決手段において、第１識別情報は任意選択的に、ＲＡ−ＲＮＴＩであってもよい。
【００７０】
図４に示す技術的解決手段について、第２識別情報又は第２識別情報と関連関係を有する第３識別情報により、ＰＤＣＣＨをスクランブルするため、競合衝突を解消するために、第２識別情報は、ＵＥを一意的に区別するための識別子であってもよい。これによれば、第２識別情報は、５Ｇ−Ｓ−ＴＭＳＩ、５Ｇ−Ｓ−ＴＭＳＩの一部、Ｃ−ＲＮＴＩ、Ｃ−ＲＮＴＩとＰＣＩとｓｈｏｒｔ  ＭＡＣ  Ｉ、及び再開識別子（Ｒｅｓｕｍｅ  ＩＤ）のうちのいずれか１つを含んでもよい。
【００７１】
第２識別情報の選択可能な範囲は、ＵＥ識別子の選択可能な範囲と一致することが明らかである。これらの情報はいずれもＵＥを一意的に区別できる。例えば、５Ｇ−Ｓ−ＴＭＳＩとＣ−ＲＮＴＩはいずれもＵＥを一意的に区別できる。従って、第２識別情報に含まれるコンテンツは、送信されたＵＥ識別子に含まれるコンテンツと一致しなくてもよい。
【００７２】
図４に示す技術的解決手段において、スクランブルされたＰＤＣＣＨを前記ＵＥに送信した後、ＵＥは、第２識別情報又は第２識別情報と関連関係を有する第３識別情報により、ＰＤＣＣＨをデスクランブルし、競合衝突解消を実現させることができる。従って，Ｓ４０２において、第２識別情報又は前記第２識別情報と関連関係を有する第３識別情報に基づいて、送信待ちＰＤＣＣＨをスクランブルすることは、下記任意選択的な例により実現することができる。
【００７３】
任意選択的な例１
第２識別情報又は前記第２識別情報と関連関係を有する第３識別情報に基づいて、送信待ちＰＤＣＣＨをスクランブルすることは、
前記上りリソースにより伝送されたＵＥ識別子がＣ−ＲＮＴＩであり、且つ前記ＲＡＲメッセージで運ばれている第２識別情報がＣ−ＲＮＴＩである場合、Ｃ−ＲＮＴＩ又はＣ−ＲＮＴＩに関連付けられている他の識別子により、送信待ちＰＤＣＣＨをスクランブルすることを含んでもよい。
【００７４】
任意選択的な例２
第２識別情報又は前記第２識別情報と関連関係を有する第３識別情報に基づいて、送信待ちＰＤＣＣＨをスクランブルすることは、
前記上りリソースにより伝送されたＵＥ識別子がＣ−ＲＮＴＩ以外の他の識別子であり、且つ前記ＲＡＲメッセージで運ばれている第２識別情報がＣ−ＲＮＴＩである場合、Ｃ−ＲＮＴＩ又はＣ−ＲＮＴＩに関連付けられている他の識別子により、送信待ちＰＤＣＣＨをスクランブルすることを含んでもよい。
【００７５】
任意選択的な例３
第２識別情報又は前記第２識別情報と関連関係を有する第３識別情報に基づいて、送信待ちＰＤＣＣＨをスクランブルすることは、
前記上りリソースにより伝送されたＵＥ識別子がＣ−ＲＮＴＩ以外の他の識別子であり、且つ前記ＲＡＲメッセージで運ばれている第２識別情報が他の識別子とマッチングする場合、前記第２識別情報とマッピング関係があるＣ−ＲＮＴＩにより、送信待ちＰＤＣＣＨをスクランブルすることを含んでもよい。
【００７６】
本技術的解決手段において、上記３つの任意選択的な例は、図３に示す技術的解決手段における任意選択的な例に対応し、ここで、詳細な説明を省略することが理解されるべきである。
【００７７】
図４に示す技術的解決手段において、可能な実現形態において、ネットワーク装置は、所定のウィンドウ内で、ＵＥからのＰＤＣＣＨ検出に対するフィードバックを受信していない場合、競合衝突解消に失敗したことを判定する。従って、ネットワーク装置とＵＥは、ランダムアクセスプロセスを再実行することができる。
【００７８】
上記ランダムアクセス方法から分かるように、ネットワーク装置は、ＲＡＲにおける第２識別情報に基づいてＰＤＣＣＨをスクランブルする。これにより、ＵＥは、第２識別情報に基づいてＰＤＣＣＨを検出することで、競合衝突が解消されたかどうかを判定する。４メッセージプロシージャランダムアクセスプロセスのように、ネットワーク装置にＲＲＣメッセージを送信し、ネットワーク装置によりＲＲＣシグナリングに対してフィードバックされた衝突解消（Ｃｏｎｔｅｎｔｉｏｎ  Ｒｅｓｏｌｕｔｉｏｎ）メッセージを受信することで衝突解消を判定する必要がない。従って、２メッセージプロシージャにより、競合ベースのランダムアクセスプロセスを完了し、ランダムアクセスプロセスの遅延を低下させ、ランダムアクセスプロセスの時間的効率を向上させることができる。
【００７９】
前記技術的解決手段と同様な構想によれば、図５を参照すると、本願の実施例によるランダムアクセスの具体的なプロセスを示す。該プロセスは、例えば、ｇＮＢ又はｅＮＢのようなＵＥ及び基地局に適用可能であり、該プロセスは以下を含んでもよい。
【００８０】
Ｓ５０１において、ＵＥが、設定されたＰＲＡＣＨリソースで、ｐｒｅａｍｂｌｅを送信し、設定されたＰＵＣＣＨリソース及び／又はＰＵＳＣＨリソースでＵＥ識別子を送信する。
【００８１】
本技術的解決手段において、設定されたＰＵＣＣＨリソース及び／又はＰＵＳＣＨリソースは、設定されたＰＲＡＣＨリソースに対応してもよいことに留意されたい。つまり、ＵＥは、あるＰＲＡＣＨリソースによりｐｒｅａｍｂｌｅを送信する場合、該マッピング関係に基づいて、該ＰＲＡＣＨリソースに対応する、ＵＥ識別子を伝送するための上りリソースを決定することができる。
【００８２】
ＵＥ識別子は、ＵＥの一意性を表すことができる。具体的には、ＵＥ識別子は、５Ｇ−Ｓ−ＴＭＳＩ、５Ｇ−Ｓ−ＴＭＳＩの一部、Ｃ−ＲＮＴＩ、Ｃ−ＲＮＴＩとＰＣＩとｓｈｏｒｔ  ＭＡＣ  Ｉ、及び再開識別子（Ｒｅｓｕｍｅ  ＩＤ）のうちのいずれか１つを含んでもよい。上記ＵＥ識別子について、上記ＵＥ識別子がいずれもＵＥを一意的に区別できるため、上記各識別子間にマッピング関係がある。つまり、Ｃ−ＲＮＴＩを例として、同一のＵＥにとって、Ｃ−ＲＮＴＩ以外の他の識別子をいずれも該Ｃ−ＲＮＴＩにマッピングすることができる。
【００８３】
Ｓ５０２において、基地局がｐｒｅａｍｂｌｅを受信した後、ＵＥ識別子に基づいて、ＰＤＣＣＨをスクランブルするための第２識別情報を決定し、第２識別情報をＲＡ−ＲＮＴＩによりスクランブルされたＲＡＲメッセージで搬送する。
【００８４】
基地局は、ＰＤＣＣＨをスクランブルするための第２識別情報を決定した後、競合衝突解消を実現させることができる。第２識別情報は、ＵＥ識別子によって決まるため、第２識別情報は、５Ｇ−Ｓ−ＴＭＳＩ、５Ｇ−Ｓ−ＴＭＳＩの一部、Ｃ−ＲＮＴＩ、Ｃ−ＲＮＴＩとＰＣＩとｓｈｏｒｔ  ＭＡＣ  Ｉ、及び再開識別子（Ｒｅｓｕｍｅ  ＩＤ）のうちのいずれか１つを含んでもよい。
【００８５】
第２識別情報の選択可能な範囲は、ＵＥ識別子の選択可能な範囲と一致することが明らかである。これらの情報はいずれもＵＥを一意的に区別できる。例えば、５Ｇ−Ｓ−ＴＭＳＩとＣ−ＲＮＴＩはいずれもＵＥを一意的に区別できる。従って、第２識別情報に含まれるコンテンツは、送信されたＵＥ識別子に含まれるコンテンツと一致しなくてもよい。
【００８６】
Ｓ５０３において、基地局が、ＲＡ−ＲＮＴＩによりスクランブルされたＲＡＲメッセージをＵＥに送信する。
【００８７】
ここで、ＲＡＲメッセージで第２識別情報が搬送されている。
【００８８】
Ｓ５０４において、基地局が、第２識別情報又は第２識別情報と関連関係を有する第３識別情報を利用して、送信待ちＰＤＣＣＨをスクランブルする。
【００８９】
Ｓ５０４は、下記例により実現することができる。
【００９０】
例１
前記上りリソースにより伝送されたＵＥ識別子がＣ−ＲＮＴＩであり、且つ前記ＲＡＲメッセージで運ばれている第２識別情報がＣ−ＲＮＴＩである場合、Ｃ−ＲＮＴＩ又はＣ−ＲＮＴＩに関連付けられている他の識別子により、送信待ちＰＤＣＣＨをスクランブルする。
【００９１】
例２
前記上りリソースにより伝送されたＵＥ識別子がＣ−ＲＮＴＩ以外の他の識別子であり、且つ前記ＲＡＲメッセージで運ばれている第２識別情報がＣ−ＲＮＴＩである場合、Ｃ−ＲＮＴＩ又はＣ−ＲＮＴＩに関連付けられている他の識別子により、送信待ちＰＤＣＣＨをスクランブルする。
【００９２】
例３
前記上りリソースにより伝送されたＵＥ識別子がＣ−ＲＮＴＩ以外の他の識別子であり、且つ前記ＲＡＲメッセージで運ばれている第２識別情報が他の識別子とマッチングする場合、前記第２識別情報とマッピング関係があるＣ−ＲＮＴＩにより、送信待ちＰＤＣＣＨをスクランブルする。
【００９３】
Ｓ５０５において、基地局が、スクランブルされたＰＤＣＣＨを前記ＵＥに送信する。
【００９４】
Ｓ５０６において、ＵＥが、ＲＡ−ＣＮＴＩに基づいて、ＲＡＲメッセージを受信し、第２識別情報を取得する。
【００９５】
Ｓ５０７において、ＵＥが、前記第２識別情報に基づいて、ＰＤＣＣＨを検出する。
【００９６】
ＵＥは、所定のウィンドウ内でＰＤＣＣＨを検出でき、所定のウィンドウは、ＵＥがｐｒｅａｍｂｌｅを送信した後、ＲＡＲをモニタリングするＲＡＲウィンドウであってもよく、基地局により設定された時間ウィンドウであってもよいことに留意されたい。
【００９７】
Ｓ５０４に記載の３つの例に対応して、Ｓ５０７は、対応する３つの例により実現するこおｔができる。
【００９８】
例１
前記上りリソースにより伝送されたＵＥ識別子がＣ−ＲＮＴＩであり、且つ前記ＲＡＲメッセージで運ばれている第２識別情報がＣ−ＲＮＴＩである場合、Ｃ−ＲＮＴＩ又はＣ−ＲＮＴＩに関連付けられている他の識別子により、ＰＤＣＣＨをモニタリングし、
ＰＤＣＣＨの検出に成功した場合、衝突が解消されたと判定する。
【００９９】
例２
前記上りリソースにより伝送されたＵＥ識別子がＣ−ＲＮＴＩ以外の他の識別子であり、且つ前記ＲＡＲメッセージで運ばれている第２識別情報がＣ−ＲＮＴＩである場合、Ｃ−ＲＮＴＩ又はＣ−ＲＮＴＩに関連付けられている他の識別子によりＰＤＣＣＨをモニタリングし、
ＰＤＣＣＨの検出に成功し、且つ検出されたＰＤＣＣＨでスケジューリングされたＰＤＳＣＨにより伝送されたＣＣＣＨ  ＳＤＵにおける識別子が前記上りリソースにより伝送されたＵＥ識別子と一致する場合、衝突が解消されたと判定する。
【０１００】
例３
前記上りリソースにより伝送されたＵＥ識別子がＣ−ＲＮＴＩ以外の他の識別子であり、且つ前記ＲＡＲメッセージで運ばれている第２識別情報が前記他の識別子とマッチングする場合、衝突が解消されたと判定し、前記第２識別情報とマッピング関係があるＣ−ＲＮＴＩを利用して、ＰＤＣＣＨをモニタリングする。
【０１０１】
ＵＥにとって、ＵＥは、所定のウィンドウ内で、ＰＤＣＣＨを検出できなければ、競合衝突解消に失敗したことを表すことに留意されたい。従って、ＵＥとネットワーク装置は、ランダムアクセスプロセスを再実行することができる。
【０１０２】
基地局にとって、基地局は、所定のウィンドウ内で、ＵＥからのＰＤＣＣＨ検出に対するフィードバックを受信していない場合、競合衝突解消に失敗したと判定する。この場合、基地局とＵＥは、ランダムアクセスプロセスを再実行することができる。
【０１０３】
上記技術的解決手段で提供されるランダムアクセスプロセスにおいて、端末は、ｐｒｅａｍｂｌｅを送信した後、ＲＡＲにおける第２識別情報に基づいて、ＰＤＣＣＨを検出する。これにより、競合衝突が解消されたかどうかを判定する。４メッセージプロシージャランダムアクセスプロセスのように、ネットワーク装置にＲＲＣメッセージを送信し、ネットワーク装置によりＲＲＣシグナリングに対してフィードバックされた衝突解消（Ｃｏｎｔｅｎｔｉｏｎ  Ｒｅｓｏｌｕｔｉｏｎ）メッセージを受信することで衝突解消を判定する必要がない。従って、２メッセージプロシージャにより、競合ベースのランダムアクセスプロセスを完了し、ランダムアクセスプロセスの遅延を低下させ、ランダムアクセスプロセスの時間的効率を向上させることができる。
【０１０４】
前記図３から図５に示す技術的解決手段と同様な構想によれば、図６を参照すると、本願の実施例によるユーザ装置ＵＥ６０の構造を示す。該ＵＥは、第１受信部６０１と、検出部６０２と、を備え、
前記第１受信部６０１は、第１識別情報に基づいて、ＲＡＲメッセージを受信するように構成され、前記ＲＡＲメッセージで第２識別情報が搬送されており、
前記検出部６０２は、所定のウィンドウ内で、前記第２識別情報又は前記第２識別情報と関連関係を有する第３識別情報に基づいて、ＰＤＣＣＨを検出するように構成され、前記ＰＤＣＣＨは、前記第２識別情報又は前記第３識別情報によりスクランブルされる。
【０１０５】
図６に示すＵＥ６０によれば、可能な実現形態において、図７を参照すると、設定されたＰＲＡＣＨリソースでプリアンブル（ｐｒｅａｍｂｌｅ）を送信し、設定された上りリソースでＵＥ識別子を送信するように構成される第１送信部６０３を更に備えてもよい。
【０１０６】
上記実現形態において、任意選択的に、前記ＵＥ識別子は、５Ｇ−Ｓ−ＴＭＳＩ、５Ｇ−Ｓ−ＴＭＳＩの一部、Ｃ−ＲＮＴＩ、Ｃ−ＲＮＴＩとＰＣＩとｓｈｏｒｔ  ＭＡＣ  Ｉ、及び再開識別子（Ｒｅｓｕｍｅ  ＩＤ）のうちのいずれか１つを含んでもよい。
【０１０７】
上記実現形態において、任意選択的に、前記設定された上りリソースは、ＰＵＣＣＨリソース及び／又はＰＵＳＣＨリソースを含んでもよい。
【０１０８】
上記実現形態において、任意選択的に、前記設定された上りリソースと前記ＰＲＡＣＨリソースはマッピング関係がある。
【０１０９】
図６に示すＵＥ６０によれば、可能な実現形態において、第１識別情報は、ＲＡ−ＲＮＴＩを含む。
【０１１０】
上記ＵＥ６０によれば、前記ＵＥ識別子がＣ−ＲＮＴＩである場合、前記第１受信部６０１は、前記Ｃ−ＲＮＴＩに基づいて、前記ＲＡＲメッセージを受信するように構成される。
【０１１１】
これによれば、前記検出部６０２は更に、前記第１受信部６０１が前記ＲＡＲメッセージを受信した後、前記第２識別情報又は前記第３識別情報によりスクランブルされたＰＤＣＣＨの検出を停止するように構成される。
【０１１２】
図６に示すＵＥ６０によれば、可能な実現形態において、第２識別情報は、５Ｇ−Ｓ−ＴＭＳＩ、５Ｇ−Ｓ−ＴＭＳＩの一部、Ｃ−ＲＮＴＩ、Ｃ−ＲＮＴＩとＰＣＩとｓｈｏｒｔ  ＭＡＣ  Ｉ、及び再開識別子（Ｒｅｓｕｍｅ  ＩＤ）のうちのいずれか１つを含んでもよい。
【０１１３】
上記実現形態において、任意選択的に、第２識別情報に含まれるコンテンツは、前記ＵＥ識別子に含まれるコンテンツと一致しない可能性がある。
【０１１４】
図６に示すＵＥ６０によれば、可能な実現形態において、所定のウィンドウは、ＲＡＲメッセージをモニタリングするＲＡＲウィンドウ、又はネットワーク装置により設定された時間ウィンドウを含む。
【０１１５】
上記技術的解決手段によれば、前記検出部６０２は、前記上りリソースにより伝送されたＵＥ識別子がＣ−ＲＮＴＩであり、且つ前記ＲＡＲメッセージで運ばれている第２識別情報がＣ−ＲＮＴＩである場合、Ｃ−ＲＮＴＩ又はＣ−ＲＮＴＩに関連付けられている他の識別子により、ＰＤＣＣＨをモニタリングし、ＰＤＣＣＨの検出に成功した場合、衝突が解消されたと判定するように構成される。
【０１１６】
上記技術的解決手段によれば、前記検出部６０２は、前記上りリソースにより伝送されたＵＥ識別子がＣ−ＲＮＴＩ以外の他の識別子であり、且つ前記ＲＡＲメッセージで運ばれている第２識別情報がＣ−ＲＮＴＩである場合、Ｃ−ＲＮＴＩ又はＣ−ＲＮＴＩに関連付けられている他の識別子によりＰＤＣＣＨをモニタリングし、ＰＤＣＣＨの検出に成功し、且つ検出されたＰＤＣＣＨでスケジューリングされたＰＤＳＣＨにより伝送されたＣＣＣＨ  ＳＤＵにおける識別子が前記上りリソースにより伝送されたＵＥ識別子と一致する場合、衝突が解消されたと判定するように構成される。
【０１１７】
上記技術的解決手段によれば、前記検出部６０２は、前記上りリソースにより伝送されたＵＥ識別子がＣ−ＲＮＴＩ以外の他の識別子であり、且つ前記ＲＡＲメッセージで運ばれている第２識別情報が前記他の識別子とマッチングする場合、衝突が解消されたと判定し、前記第２識別情報とマッピング関係があるＣ−ＲＮＴＩを利用して、ＰＤＣＣＨをモニタリングするように構成される。
【０１１８】
本実施例において、「部」とは一部の回路、一部のプロセッサ、一部のプログラム又はソフトウェア等であってもよく、勿論、ユニットであってもよいし、モジュールや非モジュール化のものであってもよいことは、理解されるべきである。
【０１１９】
また、本実施例における各構成部は一つの処理ユニットに集積されてもよいし、各ユニットが物理的に別個のものとして存在してもよいし、２つ以上のユニットが一つのユニットに集積されてもよい。上記集積したユニットは、ハードウェアの形で実現してもよいし、ソフトウェア機能モジュールの形で実現してもよい。
【０１２０】
前記集積したユニットはソフトウェア機能モジュールの形で実現され、かつ独立した製品として販売または使用されるとき、コンピュータにより読み取り可能な記憶媒体内に記憶されてもよい。このような理解のもと、本発明の技術的解決手段は、本質的に、又は、従来技術に対して貢献をもたらした部分又は該技術的解決手段の一部は、ソフトウェア製品の形式で具現することができ、このようなコンピュータソフトウェア製品は、記憶媒体に記憶しても良く、また、コンピュータ設備（パソコン、サーバ、又はネットワーク装置など）又はｐｒｏｃｅｓｓｏｒ（プロセッサ）に、本実施例に記載の方法の全部又は一部のステップを実行させるための若干の命令を含む。前記の記憶媒体は、Ｕディスク、リムーバブルハードディスク、読み出し専用メモリ（ＲＯＭ：Ｒｅａｄ-ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、ディスク、又は光ディスクなど、プログラムコードを記憶可能な各種の媒体を含む。
【０１２１】
従って、本発明の実施例は、コンピュータ記憶媒体を提供する。該コンピュータ記憶媒体にはランダムアクセスプログラムが記憶されており、前記ランダムアクセスプログラムが少なくとも１つのプロセッサにより実行される時、上記図３に示すランダムアクセス方法の工程を実現させる。
【０１２２】
上記ＵＥ６０及びコンピュータ記憶媒体に基づいて、本願の実施例によるＵＥ６０の具体的なハードウェア構成を示す図８を参照すると、該装置は、第１ネットワークインタフェース８０１と、第１メモリ８０２と、第１プロセッサ８０３とを備え、各コンポーネントはバスシステム８０４を介して結合される。バスシステム８０４は、これらのコンポーネントの間の接続と通信を実現するためのものであることが理解されるべきである。バスシステム８０４は、データバスに加えて、電源バス、制御バス及び状態信号バスを備える。明確に説明するために、図８において、様々なバスシステムをバスシステム８０４とする。ここで、第１ネットワークインタフェース８０１は、他の外部ネットワーク要素との情報送受信プロセスにおいて、信号を送受信するように構成され、
第１メモリ８０２は、前記第１プロセッサ８０３上で実行できるコンピュータプログラムを記憶するように構成され、
第１プロセッサ８０３は、前記コンピュータプログラムを実行する時、第１識別情報に基づいて、ＲＡＲメッセージを受信することであって、前記ＲＡＲメッセージで第２識別情報が搬送されている、ことと、所定のウィンドウ内で、前記第２識別情報又は前記第２識別情報と関連関係を有する第３識別情報に基づいて、ＰＤＣＣＨを検出することであって、前記ＰＤＣＣＨは、前記第２識別情報又は前記第３識別情報によりスクランブルされる、ことと、実行するように構成される。
【０１２３】
理解すべき点として、本発明の実施例における第１メモリ８０２は、揮発性メモリ又は不揮発性メモリであってもよいし、揮発性メモリと不揮発性メモリの両方であってもよい。ここで、不揮発性メモリは、読み取り専用メモリ（Ｒｅａｄ−Ｏｎｌｙ  Ｍｅｍｏｒｙ：ＲＯＭ）、プログラマブル読み取り専用メモリ（Ｐｒｏｇｒａｍｍａｂｌｅ  ＲＯＭ：ＰＲＯＭ）、消去可能なプログラマブル読み取り専用メモリ（Ｅｒａｓａｂｌｅ  ＰＲＯＭ：ＥＰＲＯＭ）、電気的消去可能なプログラマブル読み取り専用メモリ（Ｅｌｅｃｔｒｉｃａｌｌｙ  ＥＰＲＯＭ：ＥＥＰＲＯＭ）、又はフラッシュメモリであってもよい。揮発性メモリは、外部キャッシュとして用いられるランダムアクセスメモリ（Ｒａｎｄｏｍ  Ａｃｃｅｓｓ  Ｍｅｍｏｒｙ：ＲＡＭ）であってもよい。非限定的な例証として、ＲＡＭは、スタティックランダムアクセスメモリ（Ｓｔａｔｉｃ  ＲＡＭ：ＳＲＡＭ）、ダイナミックランダムアクセスメモリ（Ｄｙｎａｍｉｃ  ＲＡＭ：ＤＲＡＭ）、同期ダイナミックランダムアクセスメモリ（Ｓｙｎｃｈｒｏｎｏｕｓ  ＤＲＡＭ：ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ：ＤＤＲＳＤＲＡＭ）、エンハンスト同期ダイナミックランダムアクセスメモリ（Ｅｎｈａｎｃｅｄ  ＳＤＲＡＭ：ＥＳＤＲＡＭ）、同期リンクダイナミックランダムアクセスメモリ（Ｓｙｎｃｈｌｉｎｋ  ＤＲＡＭ：ＳＬＤＲＡＭ）及びダイレクトラムバスランダムアクセスメモリ（Ｄｉｒｅｃｔ  Ｒａｍｂｕｓ  ＲＡＭ：ＤＲＲＡＭ）などの多数の形態で使用可能である。本明細書に記載のシステム及び方法における第１メモリ６０２は、これら及び任意の他の適切な形態のメモリを含むが、これらに限定されない。
【０１２４】
第１プロセッサ８０３は、信号処理能力を持つ集積回路チップであってもよい。実現プロセスにおいて、上記方法の各ステップは、第１プロセッサ８０３におけるハードウェアの集積論理回路又はソフトウェアの形の命令により完成することができることが理解されるべきである。上記第１プロセッサ８０３は、汎用プロセッサ、デジタル信号プロセッサ（Ｄｉｇｉｔａｌ  Ｓｉｇｎａｌ  Ｐｒｏｃｅｓｓｏｒ：ＤＳＰ）、特定用途向け集積回路（Ａｐｐｌｉｃａｔｉｏｎ  Ｓｐｅｃｉｆｉｃ  Ｉｎｔｅｒｇｒａｔｅｄ  Ｃｉｒｃｕｉｔ：ＡＳＩＣ）、現場でプログラム可能なゲートアレイ（Ｆｉｅｌｄ  Ｐｒｏｇｒａｍｍａｂｌｅ  Ｇａｔｅ  Ａｒｒａｙ：ＦＰＧＡ）又は他のプログラマブルロジックデバイス、ディスクリートゲート又はトランジスタロジックデバイス、ディスクリートハードウェアコンポーネント等であってもよい。本発明の実施例に開示されている各方法、ステップ及び論理ブロック図を実現又は実行することができる。汎用プロセッサはマイクロプロセッサであってもよいし、該プロセッサは如何なる従来のプロセッサ等であってもよい。本発明の実施例に開示されている方法のステップを結合して、ハードウェア解読プロセッサによって完成し、又は解読プロセッサ内のハードウェアとソフトウェアモジュールとの組み合わせで実行して完成するように示す。ソフトウェアモジュールは、ランダムアクセスメモリ、フラッシュメモリ、読み取り専用メモリ、プログラマブル読み取り専用メモリ又は電気的消去プログラム可能なメモリ、レジスタ等の本分野の従来の記憶媒体内に存在してもよい。該記憶媒体は第１メモリ８０２内に位置し、第１プロセッサ８０３は第１メモリ８０２中の情報を読み取り、そのハードウェアと共に上記方法のプロセスを完了する。
【０１２５】
本明細書に記載のこれらの実施例は、ハードウェア、ソフトウェア、ファームウェア、ミドルウェア、マイクロコード又はその組み合わせにより実現されることは、理解されるべきである。ハードウェアによる実現において、処理ユニットは、１つ又は複数の特定用途向け集積回路（Ａｐｐｌｉｃａｔｉｏｎ  Ｓｐｅｃｉｆｉｃ  Ｉｎｔｅｒｇｒａｔｅｄ  Ｃｉｒｃｕｉｔ：ＡＳＩＣ）、デジタル信号プロセッサ（Ｄｉｇｉｔａｌ  Ｓｉｇｎａｌ  Ｐｒｏｃｅｓｓｉｎｇ：ＤＳＰ）、デジタル信号処理装置（ＤＳＰ  Ｄｅｖｉｃｅ：ＤＳＰＤ）、プログラマブルロジックデバイス（Ｐｒｏｇｒａｍｍａｂｌｅ  Ｌｏｇｉｃ  Ｄｅｖｉｃｅ：ＰＬＤ）、現場でプログラム可能なゲートアレイ（Ｆｉｅｌｄ−Ｐｒｏｇｒａｍｍａｂｌｅ  Ｇａｔｅ  Ａｒｒａｙ：ＦＰＧＡ）、汎用プロセッサ、コントローラ、マイクロコントローラ、マイクロプロセッサ、本出願に記載の機能を実行するための他の電子ユニット又はその組み合わせにより実現される。
【０１２６】
ソフトウェアによる実現において、本明細書に記載の機能のモジュール（例えば、プロセス、関数など）を実行することで本明細書に記載の技術を実現させることができる。ソフトウェアコードはメモリに記憶され、プロセッサにより実行される。メモリは、プロセッサ内又はプロセッサの外部で実現される。
【０１２７】
具体的には、ＵＥ６０における第１プロセッサ８０３は更に、コンピュータプログラムを実行する時、前記図３に示す技術的解決手段に記載のランダムアクセス方法の工程を実行するように構成され、ここで説明を省略する。
【０１２８】
前記図３から図５に示す技術的解決手段と同様な構想によれば、図９を参照すると、本願の実施例によるネットワーク装置９０の構造を示す。該装置は、スクランブル部９０１と、第２送信部９０２と、を備え、
前記スクランブル部９０１は、ＲＡＲメッセージを第１識別情報によりスクランブルするように構成され、
前記第２送信部９０２は、スクランブルされたＲＡＲメッセージをＵＥに送信するように構成され、前記ＲＡＲメッセージで第２識別情報が搬送されており、
前記スクランブル部９０１は更に、第２識別情報又は前記第２識別情報と関連関係を有する第３識別情報に基づいて、送信待ちＰＤＣＣＨをスクランブルするように構成され、
前記第２送信部９０２は更に、スクランブルされたＰＤＣＣＨを前記ＵＥに送信するように構成される。
【０１２９】
図９に記載のネットワーク装置９０によれば、可能な実現形態において、図１０を参照すると、前記ＵＥから送信されたプリアンブル（ｐｒｅａｍｂｌｅ）を受信し、設定された上りリソースでＵＥ識別子を受信するように構成される第２受信部９０３を更に備えてもよい。
【０１３０】
上記実現形態において、任意選択的に、前記ＵＥ識別子は、５Ｇ−Ｓ−ＴＭＳＩ、５Ｇ−Ｓ−ＴＭＳＩの一部、Ｃ−ＲＮＴＩ、Ｃ−ＲＮＴＩとＰＣＩとｓｈｏｒｔ  ＭＡＣ  Ｉ、及び再開識別子（Ｒｅｓｕｍｅ  ＩＤ）のうちのいずれか１つを含む。
【０１３１】
図９に記載のネットワーク装置９０によれば、可能な実現形態において、前記第１識別情報は、ＲＡ−ＲＮＴＩを含む。
【０１３２】
図９に記載のネットワーク装置９０によれば、可能な実現形態において、第２識別情報は、５Ｇ−Ｓ−ＴＭＳＩ、５Ｇ−Ｓ−ＴＭＳＩの一部、Ｃ−ＲＮＴＩ、Ｃ−ＲＮＴＩとＰＣＩとｓｈｏｒｔ  ＭＡＣ  Ｉ、及び再開識別子（Ｒｅｓｕｍｅ  ＩＤ）のうちのいずれか１つを含む。
【０１３３】
上記実現形態において、任意選択的に、第２識別情報に含まれるコンテンツは、前記ＵＥ識別子に含まれるコンテンツと一致しない可能性がある。
【０１３４】
上記技術的解決手段によれば、前記スクランブル部９０１は、前記上りリソースにより伝送されたＵＥ識別子がＣ−ＲＮＴＩであり、且つ前記ＲＡＲメッセージで運ばれている第２識別情報がＣ−ＲＮＴＩである場合、Ｃ−ＲＮＴＩ又はＣ−ＲＮＴＩに関連付けられている他の識別子により、送信待ちＰＤＣＣＨをスクランブルするように構成される。
【０１３５】
上記技術的解決手段によれば、前記スクランブル部９０１は、前記上りリソースにより伝送されたＵＥ識別子がＣ−ＲＮＴＩ以外の他の識別子であり、且つ前記ＲＡＲメッセージで運ばれている第２識別情報がＣ−ＲＮＴＩである場合、Ｃ−ＲＮＴＩ又はＣ−ＲＮＴＩに関連付けられている他の識別子により、送信待ちＰＤＣＣＨをスクランブルするように構成される。
【０１３６】
上記技術的解決手段によれば、前記スクランブル部９０１は、前記上りリソースにより伝送されたＵＥ識別子がＣ−ＲＮＴＩ以外の他の識別子であり、且つ前記ＲＡＲメッセージで運ばれている第２識別情報が他の識別子とマッチングする場合、前記第２識別情報とマッピング関係があるＣ−ＲＮＴＩにより、送信待ちＰＤＣＣＨをスクランブルするように構成される。
【０１３７】
また、本発明の実施例は、コンピュータ記憶媒体を提供する。該コンピュータ記憶媒体にはランダムアクセスプログラムが記憶されており、前記ランダムアクセスプログラムが少なくとも１つのプロセッサにより実行される時、図４に示す技術的解決手段に記載の方法の工程を実現させる。コンピュータ記憶媒体に関する具体的な説明は、前記技術的解決手段における説明を参照されたい。ここで、詳細な説明を省略する。
【０１３８】
上記ネットワーク装置９０及びコンピュータ記憶媒体に基づいて、本願の実施例によるネットワーク装置９０の具体的なハードウェア構成を示す図１１を参照すると、該装置は、第２ネットワークインタフェース１１０１と、第２メモリ１１０２と、第２プロセッサ１１０３とを備え、各コンポーネントはバスシステム１１０４を介して結合される。バスシステム１１０４は、これらのコンポーネントの間の接続と通信を実現するためのものであることが理解されるべきである。バスシステム１１０４は、データバスに加えて、電源バス、制御バス及び状態信号バスを備える。明確に説明するために、図１１において、様々なバスシステムをバスシステム１１０４とする。
【０１３９】
前記第２ネットワークインタフェース１１０１は、他の外部ネットワーク要素との情報送受信プロセスにおいて、信号を送受信するように構成され、
第２メモリ１１０２は、前記第２プロセッサ１１０３上で実行できるコンピュータプログラムを記憶するように構成され、
第２プロセッサ１１０３は、前記コンピュータプログラムを実行する時、ＲＡＲメッセージを第１識別情報によりスクランブルした後、ＵＥに送信することであって、前記ＲＡＲメッセージで第２識別情報が搬送されている、ことと、第２識別情報又は前記第２識別情報と関連関係を有する第３識別情報に基づいて、送信待ちＰＤＣＣＨをスクランブルすることと、スクランブルされたＰＤＣＣＨを前記ＵＥに送信することと、を実行するように構成される。
【０１４０】
本実施例におけるネットワーク装置９０の具体的なハードウェア構成の構成部は、前記技術的解決手段に記載の対応する部分と同様であり、ここで詳細な説明を省略することは、理解されるべきである。
【０１４１】
具体的には、ネットワーク装置９０における第２プロセッサ１１０３は更に、前記コンピュータプログラムを実行する時、上記図４に示す技術的解決手段に記載の方法の工程を実行するように構成され、ここで詳細な説明を省略する。
【０１４２】
本願の実施例に記載の技術的解決手段は、衝突しない限り、任意に組み合わせることができることに留意されたい。
【０１４３】
上記は、本発明の好適な実施例に過ぎず、本発明の保護範囲を限定するものではない。
【図１】
2021533627.tif 000003
【図２】
2021533627.tif 000004
【図３】
2021533627.tif 000005
【図４】
2021533627.tif 000006
【図５】
2021533627.tif 000007
【図６】
2021533627.tif 000008
【図７】
2021533627.tif 000009
【図８】
2021533627.tif 000010
【図９】
2021533627.tif 000011
【図１０】
2021533627.tif 000012
【図１１】
2021533627.tif 000013
【国際調査報告】
2021533627.tif 000014
2021533627.tif 000015
2021533627.tif 000016
2021533627.tif 000017